(57)【要約】【課題】吸収体３を備えた袋体２に挿入口４が形成された男性用体液処理用品１において、挿入口から袋体内に挿入したペニスＰが袋体内で上向きにならないように押さえる保持長体１３を装着し易くする。【解決手段】挿入口に近接して袋体の内面に糸状弾性体１４からなる帯状の保持長体１３の両端を固定し、その中央に操作部１６を設ける。装着時、操作部を指で摘んで挿入口から引き出し、ぺニスをその下に通して挿入口から挿入し、指を離すか又は操作部を袋体に接合する。袋体内のペニスは保持長体により下向きに保持される。ぺニスは上向きになりにくく、体液吸収状態がすべての体位ですべての吸収部について平準化・安定化され、吸収容量が増大し、使用可能時間が延長される。【選択図】図７
2006255177.tif 000002
【特許請求の範囲】
【請求項１】
着用者のペニスを挿入する挿入口が形成された袋体の内部に体液の吸収体が設けられてなる男性用体液処理用品において、
前記袋体の内部で前記挿入口の下端部に近接して取り付けられ、前記挿入口から挿入されたペニスの上側に掛けられてこれを保持する弾性を備えた保持長体と、
前記挿入口から挿入されたぺニスの上側に前記保持長体を掛けるべく着用者が前記保持長体を引き伸ばすことができるように前記保持長体に取り付けられた着用者が操作するための操作部と、
を有することを特徴とする男性用体液処理用品。
【請求項２】
前記保持長体の両端部は前記挿入口の両側の各位置にそれぞれ固定されており、前記操作部は前記挿入口に対応する前記保持長体の略中央部分に設けられていることを特徴とする請求項１記載の男性用体液処理用品。
【請求項３】
前記保持長体は前記袋体の前記挿入口が形成された側の内面に取り付けられたことを特徴とする請求項２記載の男性用体液処理用品。
【請求項４】
前記袋体は、前記吸収体をそれぞれ収納した複数の収納部と、前記収納部の前記吸収体同士を連絡して体液の移動を案内するガイドシートとを有しており、
前記保持長体は前記袋体の前記挿入口が形成された側と対面する位置に設けられた前記ガイドシートに取り付けられたことを特徴とする請求項２記載の男性用体液処理用品。
【請求項５】
前記袋体の前記挿入口が形成された側の表面には、前記挿入口の近傍において、前記挿入口に挿入されたぺニスを結束して保持する結束手段が設けられていることを特徴とする請求項１乃至４記載の男性用体液処理用品。
【請求項６】
前記保持長体は糸状弾性体を有しており、少なくともその一部が前記操作部を構成する２枚のシート体により、張力を加えて伸張した前記糸状弾性体を挟んで一体化し、前記張力を除去することにより前記操作部を前記保持長体に設けたことを特徴とする請求項１乃至５に記載の男性用体液処理用品。
【請求項７】
前記保持長体は糸状弾性体を有しており、少なくともその一部が前記操作部を構成するシート体を、張力を加えない前記糸状弾性体に固定して前記操作部を前記保持長体に設けたことを特徴とする請求項１乃至５に記載の男性用体液処理用品。
【発明の詳細な説明】
【技術分野】
【０００１】
本発明は、ペニスの挿入口が形成された袋体内に体液の吸収体を設けた男性用体液処理用品に係り、特に、袋体内での吸収体による体液の吸収状態を安定化して挿入口から体液が漏出する等の不都合を防止するため、挿入口から挿入した着用者のペニスが着用者の姿勢に係わらず袋体内で上向きにならないように保持する弾性を備えた保持長体を袋体内に設けたものであり、さらに挿入口からのぺニスの挿入及び保持長体の装着を容易化した男性用体液処理用品に関するものである。
【背景技術】
【０００２】
従来の吸収体物品、例えば子供用おむつ、大人用おむつ、女性用生理用品、女性用失禁用品等は、ナプキン形状であれ、テープ型形状であれ、あるいはパンツ型形状を持つものであれ、共通している点は、液透過性トップシートと、液不透過性のバックシートとの間に、ＳＡＰとパルプを混合した吸収体を介在させるという基本構造を持っていることである。
【０００３】
これらの吸収体製品のうち、男性用体液処理用品は、男性である着用者の体液排出はペニスを通じてを行うことが前提となるので、かかる人体の構造上の特徴に適した構造を有していることが必要とされる。このような男性用体液処理用品としては、下記特許文献１、２に示すように、吸収体を備えた袋部にペニス挿入口が形成された吸収体物品が知られている。
【特許文献１】特開平１１−１７２５０２号公報
【特許文献２】特開２００４−６５８５７号公報
【発明の開示】
【発明が解決しようとする課題】
【０００４】
従来の男性用体液処理用品では、ペニスから排出された体液が袋体内の吸収体に適正に吸収されるようにするため、袋部の挿入口からペニスを挿入して下向きの状態で長時間にわたって安定に保つ必要がある。しかしながら、従来の男性用体液処理用品では、挿入口から挿入したペニスと袋体乃至挿入口との位置関係を適正に保持し、特に挿入口から挿入したペニスが袋体内で上向きにならないよう、下向きに安定した状態で保持するための手段がなかった。
【０００５】
このため、例えば着用者が横臥位や仰臥位などの体位をとると、袋体に挿入したペニスが袋体内で下向きを維持できずに上向きとなり、あるいはペニスがずれて挿入口から徐々に出てきて抜ける等、袋体内でのぺニスの姿勢保持乃至袋体に対するぺニスの位置保持が不十分になるという問題が生じることがあった。男性用体液処理用品の体液の吸収性能は装着状態によって影響を受け易いため、上述のようにぺニスの姿勢保持又は位置保持に問題が生じると、袋体内にある吸収体に放出された体液が効果的に吸収されない状態となる場合があり、利用可能な体液の吸収容量が減少したり、使用可能時間が短縮される等の不都合が生じることがあった。
【０００６】
また、着用者が立ち姿勢から着座したり、屈伸運動をしたり、走る等の行動をとった場合においても、袋体に対して着用者の腰が引ける等により、袋体に挿入したペニスが袋体内で下向きの状態を維持できず、あるいはペニスがずれて挿入口からだんだん出てきて抜ける等、上述したのと同様の問題が生じる場合がある。
【０００７】
そこで本発明は、上述した課題を解決するためになされたものであり、吸収体を備えた袋体にペニスの挿入口が形成された男性用体液処理用品において、挿入口から袋体内に挿入したペニスを袋体内で上向きの姿勢になることを効果的に防止すると同時に、かかる目的を達成するために袋体内に格別の構成を設けた場合にあっても、ぺニスの挿入・装着が煩雑にならないようにし、以て装着が容易であるとともに袋体内でのぺニスの下向き姿勢を確実に保持できる男性用体液処理用品を提供することを目的とする。
【課題を解決するための手段】
【０００８】
請求項１に記載された男性用体液処理用品は、着用者のペニスを挿入する挿入口が形成された袋体の内部に体液の吸収体が設けられてなる男性用体液処理用品において、
前記袋体の内部で前記挿入口の下端部に近接して取り付けられ、前記挿入口から挿入されたペニスの上側に掛けられてこれを保持する弾性を備えた保持長体と、
前記挿入口から挿入されたぺニスの上側に前記保持長体を掛けるべく着用者が前記保持長体を引き伸ばすことができるように前記保持長体に取り付けられた着用者が操作するための操作部と、
を有することを特徴としている。
【０００９】
請求項２に記載された男性用体液処理用品は、請求項１記載の男性用体液処理用品において、前記保持長体の両端部は前記挿入口の両側の各位置にそれぞれ固定されており、前記操作部は前記挿入口に対応する前記保持長体の略中央部分に設けられていることを特徴としている。
【００１０】
請求項３に記載された男性用体液処理用品は、請求項２記載の男性用体液処理用品において、前記保持長体は前記袋体の前記挿入口が形成された側の内面に取り付けられたことを特徴としている。
【００１１】
請求項４に記載された男性用体液処理用品は、請求項２記載の男性用体液処理用品において、前記袋体は、前記吸収体をそれぞれ収納した複数の収納部と、前記収納部の前記吸収体同士を連絡して体液の移動を案内するガイドシートとを有しており、
前記保持長体は前記袋体の前記挿入口が形成された側と対面する位置に設けられた前記ガイドシートに取り付けられたことを特徴としている。
【００１２】
請求項５に記載された男性用体液処理用品は、請求項１乃至４に記載の男性用体液処理用品において、前記袋体の前記挿入口が形成された側の表面には、前記挿入口の近傍において、前記挿入口に挿入されたぺニスを結束して保持する結束手段が設けられていることを特徴としている。
【００１３】
請求項６に記載された男性用体液処理用品は、請求項１乃至５に記載の男性用体液処理用品において、前記保持長体は糸状弾性体を有しており、少なくともその一部が前記操作部を構成する２枚のシート体により、張力を加えて伸張した前記糸状弾性体を挟んで一体化し、前記張力を除去することにより前記操作部を前記保持長体に設けたことを特徴としている。
【００１４】
請求項７に記載された男性用体液処理用品は、請求項１乃至５に記載の男性用体液処理用品において、少なくともその一部が前記操作部を構成するシート体を、張力を加えない前記糸状弾性体に固定して前記操作部を前記保持長体に設けたことを特徴としている。
【発明の効果】
【００１５】
請求項１に記載された男性用体液処理用品によれば、装着する際は、挿入口から出ている操作部を摘むか、又は操作分が袋体内部にある場合には装着者が指を挿入口から差し込み、操作部を摘む等して挿入口から外に引き出すとともに上方に引き上げることにより、保持長体を挿入口から外に引き出して上方に引き伸ばし、この状態でぺニスを保持長体の下側に通しつつ挿入口から挿入し、指を操作部から離す。これによって、保持長体は弾性によって挿入口内に戻り、ぺニスは袋体内で根元の上側を保持長体で下向きに保持された状態となる。このような装着状態においては、着用者の姿勢等に係わらずぺニスは特に根元で下向きの保持力を受けるので、袋体内で上向きになることが可及的に防止される。よって、着用者の姿勢に係わらず、ペニスの存在位置が上向き方向や横方向に変位して体液吸収状態が不安定化したり、ペニスが挿入口から抜ける等の使用上の不都合が防止される。
【００１６】
従って、男性用体液処理用品の全体形状を、例えば挿入口が形成された中央のペニス格納部の両側に吸収部をそれぞれ連通して設けた実質的に左右対称な構造としたり、さらに左右の吸収部をそれぞれ奥行き方向に多段に連通して設ける構造とする等、袋体内に吸収部を複数設ける構造とした場合であっても、全体位における体液吸収状態がすべての吸収部について平準化・安定化されて吸収体の利用可能な吸収容量が増大し、使用時間の延長が可能となる効果が得られる。
【００１７】
請求項２に記載された男性用体液処理用品によれば、保持長体の両端部が挿入口の両側に固定され、操作部は挿入口に対応して保持長体の略中央部分に設けられるので、着用者は挿入口から指を挿入するだけで容易に操作部を捜し当てることができ、保持長体を引っ張る操作も容易となり、男性用体液処理用品の装着が容易になる。また、装着後は、保持長体の弾性力は実質的に左右均等にぺニスの根元の上側に加わるので、袋体内におけるぺニスの下向き保持は一層確かなものとなり、着用者の姿勢等に係わらないぺニスの上向き防止はさらに確実になる。
【００１８】
請求項３に記載された男性用体液処理用品によれば、保持長体が袋体の挿入口側内面に取り付けられているので、保持長体は比較的挿入口に近い位置にあり、装着時に着用者は挿入口から指を挿入するだけで特に容易に操作部を捜し当てることができ、保持長体を引っ張る操作も容易となり、男性用体液処理用品の装着が特に容易になる。
【００１９】
請求項４に記載された男性用体液処理用品によれば、操作部付きの保持長体が、袋体内に設けられた複数の収納部に設けられている各吸収体を連絡するためのガイドシートに取り付けられているので、このようなガイドシート付きの構造を備えた男性用体液処理用品の製造においては、操作部付きの保持長体の取付けに際しては、保持長体を取り付けたガイドシートを袋体内に設けるだけの作業でよいので、製造工程上の簡略化が図れる利点がある。
【００２０】
請求項５に記載された男性用体液処理用品によれば、請求項１乃至４記載の保持長体による効果に加え、さらに袋体の前記挿入口が形成された側の表面に結束手段を設けたので、挿入口から挿入したぺニスは袋体の内部では保持長体によって保持され、袋体の外ではその根元を確実に保持することができ、相乗効果によって男性用体液処理用品に対してぺニスを正規の状態に装着でき、かつ装着状態をさらに安定化できる効果が得られる。
【００２１】
請求項６に記載された男性用体液処理用品によれば、糸状弾性体を引き伸ばした状態でシート体間に挟んだ構造なので、操作部が設けられた部分を含む保持長体の全体に弾性力が得られ、ペニスの確実な保持に特に効果がある。また、シートにはひだが生じるのでペニスに対する接触が柔らかで装着感に優れる。
【００２２】
請求項７に記載された男性用体液処理用品によれば、引き伸ばさない状態にある糸状弾性体にシート体を固定して操作部を保持長体に設けたので、製造時に糸状弾性体に張力を加える手間がかからず製造が容易であり、また、シートにはひだが生じないのでペニスの表面に面で密着する点において保持が確実である。
【発明を実施するための最良の形態】
【００２３】
次に、本願出願時において本発明者等が最良と認識する本願発明の実施の形態を図１〜図１８を参照して説明する。
（１）第１実施形態（図１〜図７）
図１〜図７に示す本例の男性用体液処理用品１（以下、本製品１とも呼ぶ）は、男性の着用者が下腹部に身につけ、内部に尿等の体液の吸収体３（高分子吸収体シート）を設けた袋体２の挿入口４からペニスを挿入して使用する衛生用品である。
【００２４】
図１乃至図３に示すように、本製品１は、不織布に樹脂製フィルムを圧着して構成した薄い防漏性シート材料からなる袋体２を有している。この袋体２は、前記防漏性シート材料の不織布を外側として使用し、図１及び図２に示すように前面側（着用者側）及び背面側から見て全体として図１中上方（使用時、着用者が立位にある場合の上方）を尖端として左右にウイングを有する矢羽根形状（略逆Ｖ字形）となるように、かつ全体としては内部空間を有する袋状となるように、その外周縁に沿って圧着して袋状に形成したものである。
【００２５】
図２及び図３に示すように、この袋体２は、中央部の空間がペニス格納部５とされており、図１に示すように、その前面側（着用者側）に形成された縦に長いスリットがペニスの挿入口４である。図１中に示す挿入口４は縦に長い楕円形であるが、縦長の矩形でもよいし、縦長の三角形でもよい。また、場合によっては横長であってもよい。図１及び図３中に示すように、袋体２の挿入口４が形成された側の表面には、挿入口４の下半部分の周囲に矩形の補強材１１が貼着されており、その一部である舌片が挿入口４の下縁に臨んで配置されている（図２中には補強材１１は不図示）。
【００２６】
図２に示すように、このペニス格納部５の両側は、ペニス格納部５にそれぞれ連通する第１収納部６とされており、また袋体２の背面側には、ペニス格納部５の両側において、第１収納部６及びペニス格納部５に連通する別空間である第２収納部７が内側への折り返し部８を介してそれぞれ形成されている。なお、使用時にこの折り返し部分８が膨潤伸張すれば袋体２の内部空間は本製品１が厚くなる方向に拡大される。
【００２７】
図２に示すように、これら第１及び第２収納部６，７内には、体液を吸収するための吸収体３がそれぞれ設けられている。さらに、第１収納部６、第２収納部７、ペニス格納部５の間には、これらの各部の間で体液の移動を容易にするためのガイドシートである液体ガイド層９が設けられており、ペニス格納部５に一時に大量の体液が排出された場合には、この液体ガイド層９を介して体液は左右の第１収納部６及び第２収納部７に分散して案内され、各部の吸収体３に吸収されるため、排出された体液がペニス格納部５に滞留することがない。なお、この液体ガイド層９は、複数箇所において、前記吸収体３を介して又は直接に袋体２に固定されている。
【００２８】
また、図示はしないが、袋体２の背面側の中央上部には、剥離シートに覆われた粘着層が設けられており、着用時に該剥離シートを剥がせば、着用者の下着の前身頃の内面側に袋体２を貼り付けて本製品１の着装を確実にすることができる。
【００２９】
そして、図１乃至図３に示すように、本製品１は、挿入口４から袋体２内に挿入したペニスＰが袋体２内で上向きにならないように長時間にわたって安定して保持するために、袋体２内でぺニスＰを下向きに保持する手段としての保持長体１３（インナーバンドとも称する。）を備えている。
【００３０】
図４に示すように、本例の保持長体１３は、糸ゴム・平ゴム等の細長い複数本の長体状の弾性材料である糸状弾性体１４を、被覆材料であるシート体としての不織布１５で両側から挟み込んで一体化して構成した帯状の弾性部材である。本例の保持長体１３の中央部には、着用者が着用時に指で摘んだり引っ掛けたりする等して操作するための操作部１６が不織布１５と一体構造で設けられており、また不織布１５には操作部１６が設けられた中央部分も含めてひだが生じており、その全長にわたって弾性を示しうる構造となっている。
【００３１】
なお、本例では、一般に幅広のゴムは、本発明の目的に鑑みると張力が強すぎる場合が多いので本例では採用せず、前述したように弾性材料として糸ゴム等の糸状弾性材料を採用した。本例の糸状弾性体１４は伸長しやすく、引き伸ばしてその下側にぺニスＰを挿入する操作が容易であり、また長さや弾性を適宜に設定すれば着用者に苦痛を与えることもない。
【００３２】
図５を参照してこの保持長体１３を製造する方法を説明する。まず同図（ａ）に示すように、複数本の糸状弾性体１４にテンションを加えて伸張させ、その状態のままで糸状弾性体１４の全貌を覆いうる適当な寸法・形状（本例では矩形）の２枚の不織布１５を糸状弾性体１４を挟む両側から合わせて貼り合せ、同図（ａ）中破線で示すように操作部１６となる中央の一部を矩形状に残して不要な両角部を切断除去する。そして、同図（ｂ）に示すように、糸状弾性体１４に加えたテンションを無くしてリラックスさせると、糸状弾性体１４は元寸法に復帰するとともに不織布１５には多数のひだが生じ、操作部１６を一体に有する本例の保持長体１３が完成する。
【００３３】
操作部１６を備えた保持長体１３の寸法であるが、一例を挙げれば図４（ａ）中に示すように、保持長体１３の帯状の本体部分は、幅が２〜３５ｍｍ（例えば２０ｍｍ程度）、長さが４０〜１００ｍｍ（例えば６０ｍｍ程度）、操作部１６は、幅（本体の長さ方向に平行な部分）が１０〜６０ｍｍ（例えば３０ｍｍ程度）、長さ（本体の幅方向に平行な部分）が２０〜７０ｍｍ（例えば３０ｍｍ程度）である。
【００３４】
保持長体１３は、図１乃至図３に示すように、前記袋体２内において、前記挿入口４の下端部に近接して配置され、前記袋体２の前記挿入口４が形成された側（前面側、着用者側）の内面に、挿入口４を間に挟んで両側の各位置に両端の接合部１３ａがそれぞれ固定され、中央の未接合部が袋体２の内面との間にぺニスＰが挿入される挿通空間を構成している。また、保持長体１３の中央に設けられた操作部１６は、挿入口４に対応する位置にあり、挿入口４から外に露出している。また、操作分１６は、袋体２の内部に隠れていても、着用者が挿入口４から指を差し入れればすぐに捜し当てることができる位置にある。
【００３５】
図６に示すように、保持長体１３と挿入口４との位置関係は、同図（ａ）に示すように保持長体１３の本体の上縁が挿入口４の下端よりも上でもよいし、同図（ｂ）に示すように保持長体１３の本体の上縁が挿入口４の下端と略同じ高さでもよいし、同図（ｃ）に示すように保持長体１３の本体の上縁が挿入口４の下端より下にあってもよい。いずれの位置関係を選択するかは、保持長体１３の弾性を考慮し、ぺニスＰが上に向かないように保持長体１３がぺニスＰを下向きに押さえられる強さの力が得られるように定めればよい。一般的には、保持長体１３が挿入口４に関してより下方に位置するほど装着時に保持長体１３を伸ばす必要があるので、ぺニスＰに下向きに与える保持力が大きくなる反面、ぺニスＰが保持長体１３から抜ける可能性が高くなる。
【００３６】
以上のような構成になる本製品１を装着する場合には次のように行う。
保持長体１３が図１及び図２に示す状態において、着用者が挿入口４から外に出ている操作分１６を摘み、又は着用者が挿入口４から指を入れて袋体２内にある操作部１６を摘み、保持長体１３を挿入口４から外に引き出して伸張させ、伸張状態でぺニスＰを下方に通して挿入口４から袋体２内に挿入する。操作部１６は不織布１５からなるので指で摘んだ際にもすべりにくく操作性は良好である。
【００３７】
そして、図３に示すように、操作部１６の先端に面ファスナーや粘着層等の接合部１７を設けておけば、保持長体１３をぺニスＰに装着した後、挿入口４の外に引き出した操作部１６を袋体２の前面側（着用者側）の挿入口４の上方に引き上げ、袋体２の上端を越えて袋体２の背面側（着用者と反対側）に持ち込み、その接合部１７を袋体２の背面側（着用者と反対側）に接合して固定することができる。この場合、操作部１６を袋体２に固定する位置を調整することによって保持長体１３がぺニスＰに与える弾性力を変化させることができるので、保持長体１３によるぺニスＰの下向きの保持力を調整することができる。
【００３８】
なお、装着状態における操作部１６の扱いについての変形例を図７に示す。
図７（ａ）に示すように、操作部１６の先端に面ファスナーや粘着層等の接合部１７を設けた場合には、保持長体１３をぺニスＰに装着した後、操作部１６を挿入口４の外に引き出し、操作部１６の接合部１７を袋体２の前面側（着用者側）の挿入口４の上方に接合して固定することができ、この場合、操作部１６を袋体２に固定する位置を調整することによって保持長体１３がぺニスＰに与える弾性力を変化させることができるので、保持長体１３によるぺニスＰの下向きの保持力を調整することができる。
【００３９】
図７（ｂ）、（ｃ）に示すように、保持長体１３をぺニスＰに装着した後、保持長体１３を袋体２内に戻して袋体２の後面側（着用者側と反対側）の内面に接合部１７を固定しても良い。この場合も、操作部１６を袋体２に固定する位置を調整することによって保持長体１３がぺニスＰに与える弾性力を変化させることができるので、保持長体１３によるぺニスＰの下向きの保持力を調整することができる。図６（ｂ）は操作部１６を袋体２の後面側の内面上方に固定した場合、図６（ｃ）は同じく内面下方に固定した場合である。    
【００４０】
図７（ｄ）に示すように、保持長体１３をぺニスＰに装着した後、操作部１６を引っ張って操作部１６及び本体んぼ帯状部分の一部を挿入口４の外に引き出し、操作部１６の接合部１７を袋体２の前面側（着用者側）の挿入口４の上方に接合して固定することができ、図７（ａ）に示した状態に比べてぺニスＰの上向き防止効果は弱まるが、ぺニスＰの固定効果は強くなる。
【００４１】
図７（ｅ）及び（ｆ）は操作部１６に接合部１７がない場合であって、装着後に操作部１６を固定しない場合である。図７（ｅ）に示すように、装着後に操作部１６から指を離せば、保持長体１３はぺニスＰの上側に掛止した状態で自らの弾性力により挿入口４から袋体２内に戻り、ぺニスＰを袋体２内で上に向かないように下向きに保持する。保持長体１３は操作部１６が設けられた中央部分にも適当な弾性があり、ぺニスＰを最適な力で下向きに押さえることができる。また、保持長体１３は全体にひだを有する不織布１５からなるので、ぺニスＰに対する摩擦保持が確実であり、ぺニスＰに対する接触間隔が柔らかいので装着感にも優れている。操作部１６は挿入口４から袋体２の外に残るが、図７（ｆ）に示すように、操作部１６を袋体２内に入れても良い。
【００４２】
以上説明したように装着すれば、袋体２の左右のウイングの各下方部分は着用者の太腿の付け根に相当する下着の裾からでて下腹部に安定して装着した状態が実現でき、日常活動中に支障なく排尿及び尿処理を行うことができる。
【００４３】
本例によれば、袋体２内においてぺニスＰの上面側には弾性を有する幅広帯状の保持長体１３が安定して係止されてぺニスＰに下向きの保持力を与えているので、着用者の動作により保持長体１３がなければ袋体２に挿入したペニスＰが袋体２内で下向きの状態を維持できなくなるような場合であっても、ぺニスＰを下向きに安定的に保持することができる。従って、着用者が、横臥位や仰臥位などの体位をとっても、そのような体位でぺニスＰから排出される体液は、ぺニス格納部５の左右にある吸収部６，７の一方のみに偏って流入することは少なく、液体ガイド層９の機能とも相俟って体液は各吸収部６，７に可及的均一に流入し各吸収体３に吸収される。また横臥位のように左又は右に偏って流入しても左又は右の吸収容量が満杯となりオーバーフローする前に吸収余力のある左又は右サイドへ流入するように働く。従って、本製品１が有する吸収体３の吸収容量を最大限に利用でき、最大限の使用可能時間を実現することができる。また、保持長体１３が帯状で上述したようにある程度の幅があるから、弾性を以てぺニスＰを押さえても着用者に苦痛を与えることがない。
【００４４】
このように、本製品１の体液の吸収性能は装着状態によって影響を受けにくく、ペニスＰがずれて挿入口４からだんだん出てきて抜ける等、位置ずれ等の固定不十分の問題も生じず、ペニスＰから排出された体液は袋体２内の吸収体３に適正に吸収される。
【００４５】
なお、本例の操作部１６はタブ状であり、着用者が保持長体１３を引っ張り操作する際には、着用者が指でこれを摘むこととしたが、操作部１６の形状及びその操作方法はこれに限らない。例えば、図示はしないが、操作部１６を前述したようなタブ状でなく、着用者が操作するための指を係止可能な係止部を備えた構造、例えばリング状等にして指を挿入乃至引っ掛けられるようにすれば、１本の指でも保持長体１３を挿入口４から外に引き出すことができるので、指が一部不自由な着用者であっても保持長体１３の引き出し操作及びぺニスへの係止操作が容易になる。
【００４６】
（２）保持長体及び操作部の第２実施形態（図８〜１１）
本発明で使用される保持長体の本体部分（ぺニスＰを押さえる帯状の部分）を図８に示す。同図（ａ）は、糸ゴム・平ゴム等の細長い複数本の長体状の弾性材料である糸状弾性体１４であり、不織布１５でラミネートされていない状態で保持長体として使用するものである。同図（ｂ）は、糸ゴム・平ゴム等の細長い複数本の長体状の弾性材料である糸状弾性体１４を伸ばした状態で両面から２枚の不織布１５でラミネートし、張力を解除して不織布１５にひだを生じさせたものである。
【００４７】
まず、図８（ｂ）に示す保持長体を利用した例について図８〜図１１を参照して説明する。
図９に示す保持長体２３は、図８（ｂ）に示す帯状の保持長体の中央部に、矩形の１枚の不織布１５からなる操作部２６を固定したものである。なお、図９（ｂ）の断面図では、薄い不織布等の積層構造が明らかとなるように各不織布の間を空けて図示してある。本例によれば、保持長体２３の帯状部分とは別体の操作部２６が固定された保持長体の中央部分には伸縮性はないが、全体としての弾性によってぺニスＰに対して所要の下向きの保持力を与えることは可能であり、使用時の機能に問題はなく、また製造時には帯状部分のみを生産して操作部２６を後付けできるので、先に図５を参照して説明した工程のように糸状弾性体１４を２枚の不織布でラミネートした後に張力を加えた状態で不織布を所要の形状に切断するという複雑な工程を経る手間がかからない利点がある。なお、図示の例では、操作部２６は帯状部分の中央の全幅にわたって固定してあるが、必要な強度が得られれば、帯状部分の中央の上縁に固定しても良い。
【００４８】
図１０は、図９に示した構造において、操作部２６の形状の変形例（２６ａ〜２６ｆ）を示したものである。ここに例示したいすれの形状でも目的は達成できるが、操作部２６が袋体２内にあることを考慮すれば、その全体の幅や少なくとも先端部分の幅が小さい同図（ａ）（ｂ）（ｄ）のような形状にすることもできる。また、操作部２６を袋体２内で探し当てて指で摘み、袋体２の外に引き出す操作の便宜を考慮すれば、同図（ｃ）（ｅ）（ｆ）のように先端部分が十分な幅を有する形状とすることもできる。
【００４９】
図１１は、図１０に示したような操作部２６を後付けにしたタイプの保持長体２３を袋体２に固定する際の配置例を示したものである。同図（ａ）に示すように、帯状部分が上向きに角度を持つように固定すれば、帯状部分と挿入口４の下端との間に生じる隙間がより大きくぺニスＰの挿入がより容易になり、同図（ｂ）に示すように、帯状部分が下向きに角度を持つように固定すれば、挿入したぺニスＰの上面に係止した場合にぺニスＰに与える下向きの保持作用がより確実になる。
【００５０】
（３）保持長体及び操作部の第３実施形態（図１２）
次に、図８（ａ）に示す保持長体を利用した例について図１２を参照して説明する。
本例は、複数本の糸状弾性体１４からなる保持長体の本体部分の中央において、矩形の２枚の不織布からなる操作部３６の下端をラミネートして固定したものである。なお、図１２（ｂ）の断面図では、薄い不織布等の積層構造が明らかとなるように各不織布等の間を空けて図示してある。本例の保持長体３３は、一様にテンションをかけた複数本の糸状弾性体１４の中央部分に２枚の不織布からなる操作部３６の下端をラミネートし、その後テンションを除去することで得ることができる。本例によれば、操作部３６が取り付けられた糸状弾性体１４の中央部分にも伸縮性があり、ぺニスＰの下向きの保持力が高い。
【００５１】
（４）保持長体及び操作部の第４実施形態（図１３）
次に、図８（ａ）に示す保持長体を利用した他の例について図１３を参照して説明する。
本例は、複数本の糸状弾性体１４からなる保持長体の本体部分の中央において、矩形の１枚の不織布からなる操作部４６の下端を各糸状弾性体１４に対して固定したものである。なお、図１３（ｂ）の断面図では、不織布である操作部４６と糸状弾性体１４との積層構造が明らかとなるように両者間を空けて図示してある。本例の保持長体４３は、テンションをかけていない複数本の糸状弾性体１４の中央部分に１枚の不織布からなる操作部４６の下端を固定することで得ることができる。本例によれば、糸状弾性体１４に張力をかけずに単に操作部４６を固定するだけでよいので製造が容易である。
【００５２】
（５）第５実施形態（図１４〜図１７）
図１４〜図１７に示す本例の男性用体液処理用品１’（以下、本製品１’とも呼ぶ）は、第１例の男性用体液処理用品１と同様の構造を有するとともに、さらに着用者のぺニスを安定的に保持するための結束手段である結束バンドを備えていることを特徴とする。そこで、第１例の男性用体液処理用品１と同様の構造については、図１乃至図３中に示した符号と同一の符号を図１４乃至図１６に付してその説明を省略し、また第１例と同様の作用効果についても必要に応じて説明を省略する。
【００５３】
図１４乃至図１６に示すように、袋体２の前面側（着用者に面する側）において、前記挿入口４の近傍には、可撓性材料からなり下部が一体となった２本の帯状の結束バンド１０が設けられている。結束バンド１０は、着用者が着用時に挿入口４から挿入したペニスＰに巻き付けて使用する。結束バンド１０には、袋体２の表面の不織布に接合し易い薄いフック層をその先端に有しており、着用時に結束バンド１０をペニスＰに巻き付けた後に袋体２の正面側に接合できる。従って、男性の着用者がペニスＰに前記保持長体１３を掛け、ぺニスＰを袋体２の挿入口４から内部に挿入し、操作部１６を袋体２の外で上方に引き上げて袋体２の上背面側に接合する。さらに２本の結束バンド１０，１０を互いに反対方向からペニスＰの根元にかけ回してペニスＰを結束し、これら各結束バンド１０の先端のフック層を袋体２の正面側に接合して固定する。さらに、袋体２の背面側の剥離シートを剥がして粘着層を表し、着用者が下半身に着用している下着の前身頃の内面側に貼り付ける。
【００５４】
装着状態における操作部１６の扱いについての変形例を図１７に示す。
図１７（ａ）に示すように、操作部１６の先端に面ファスナーや粘着層等の接合部１７を設けた場合には、保持長体１３をぺニスＰに装着した後、操作部１６を挿入口４の外に引き出し、操作部１６の接合部１７を袋体２の前面側（着用者側）の挿入口４の上方に接合して固定する。その後、結束バンド１０をぺニスＰの根元に掛け回してその先端を袋体２の前面側に接合する。この場合、操作部１６を袋体２に固定する位置を調整することによって保持長体１３がぺニスＰに与える弾性力を変化させることができるので、保持長体１３によるぺニスＰの下向きの保持力を調整することができる。また、挿入口４から外に引き出して固定した操作部１６は、結束バンド１０によっても固定されるので、袋体２内におけるぺニスＰの保持機能がさらに高まる。
【００５５】
図１７（ｂ）、（ｃ）に示すように、保持長体１３をぺニスＰに装着した後、保持長体１３を袋体２内に戻して袋体２の後面側（着用者側と反対側）の内面に接合部１７を固定しても良い。この場合も、操作部１６を袋体２に固定する位置を調整することによって保持長体１３がぺニスＰに与える弾性力を変化させることができるので、保持長体１３によるぺニスＰの下向きの保持力を調整することができる。図６（ｂ）は操作部１６を袋体２の後面側の内面上方に固定した場合、図６（ｃ）は同じく内面下方に固定した場合である。いずれの場合においても、挿入口４から袋体２内に挿入されたぺニスＰの根元は結束バンド１０によって固定されるので、袋体２内における保持長体１３によるぺニスＰの保持機能はさらに確実になる。
【００５６】
図１７（ｄ）及び（ｅ）は操作部１６に接合部１７がない場合であって、装着後に操作部１６を固定しない場合である。図１７（ｄ）に示すように、装着後に操作部１６から指を離せば、保持長体１３はぺニスＰの上側に掛止した状態で自らの弾性力により挿入口４から袋体２内に戻り、ぺニスＰを袋体２内で上に向かないように下向きに保持する。保持長体１３は操作部１６が設けられた中央部分にも適当な弾性があり、ぺニスＰを最適な力で下向きに押さえることができる。また、保持長体１３は全体にひだを有する不織布１５からなるので、ぺニスＰに対する摩擦保持が確実であり、ぺニスＰに対する接触間隔が柔らかいので装着感にも優れている。操作部１６は挿入口４から袋体２の外に残るが、図７（ｆ）に示すように、操作部１６を袋体２内に入れても良い。いずれの場合においても、挿入口４から袋体２内に挿入されたぺニスＰの根元は結束バンド１０によって固定されるので、操作部１６を特に固定しなくとも、袋体２内における保持長体１３によるぺニスＰの保持機能は確実である。
【００５７】
本例によれば、前記各例１〜４で説明した保持長体１３等による効果に加え、さらに袋体２の挿入口４が形成された側の表面に結束バンド１０を設けたので、挿入口４から挿入したぺニスＰは袋体２の内部では保持長体１３等によって保持され、袋体２の外ではその根元を確実に結束バンド１０で保持することができ、保持長体１３等と結束バンド１０の相乗効果によって男性用体液処理用品に対してぺニスを正規の状態で装着でき、かつ装着状態をさらに安定化できる効果が得られる。
【００５８】
（６）保持長体の取付け位置の変形例（図１８）
図１８に示すように、以上説明した各種構造の保持長体１３，２３，３３，４３（以下保持長体１３等と呼ぶ）は、袋体２の前面側の内面でなく、袋体２内に設けられた液体ガイド層９に取り付けても良い。その場合、保持長体１３等の位置は、第１の例と同様の理由で、袋体２内において挿入口４の下端部に近接し、かつ挿入口４を間に挟んで両側の各位置に両端の接合部１３ａが来るようにするとよい。本例のように、保持長体１３等を袋体２の内面でなく、さらに袋体２の内方にある液体ガイド層９に取り付けても、ぺニスＰが上に向かないように下向きに保持する機能は達成することができる等、第１の例と同等の機能を得られる他、さらに男性用体液処理用品の製造工程全体の中で特に液体ガイド層９を取り扱う工程において保持長体１３等を液体ガイド層９に予め取り付けておけば、工程が簡略化されて製造コストの低減に寄与することができる場合がある。
【００５９】
なお、図示はしないが、本例の男性用体液処理用品では、装着時に着用者から見て手前側に比較的小さい幅の第１収納部６と、同奥側に比較的大きい幅の第２収納部７が設けられているが、この幅の大小関係は逆にしてもよいし、また両者を同幅にしてもよい。
いずれにしても、吸収体を収納する空間の上述した各種構成に係わらず、本発明の特徴は、操作部を設けて装着を容易とした保持長体により袋体内に挿入したぺニスが上向きにならないように下向きの保持力を与えることにあり、さらに望ましくは袋体の表側に結束バンドを設け、両者の併用により男性用体液処理用品に対してぺニスを正規の状態で装着し、かつ装着状態をさらに安定化することにある。
【図面の簡単な説明】
【００６０】
【図１】本発明の実施の形態の第１例に係る男性用体液処理用品の正面図である。
【図２】本発明の実施の形態の第１例に係る男性用体液処理用品の横断面図である。
【図３】本発明の実施の形態の第１例に係る男性用体液処理用品の使用状態を示す縦断面図である。
【図４】（ａ）は本発明の実施の形態の第１例における保持長体の正面図、（ｂ）は（ａ）のＸ−Ｘ切断線における断面図である。
【図５】本発明の実施の形態の第１例における保持長体の製造工程を示す図である。
【図６】本発明の実施の形態の第１例における保持長体と挿入口の位置関係を例示する正面図である。
【図７】本発明の実施の形態の第１例における装着状態及び操作部の固定状態を示す縦断面図である。
【図８】本発明の実施の形態における保持長体の帯状部分の構造例を示す正面図である。
【図９】（ａ）は本発明の実施の形態の第２例における保持長体の正面図、（ｂ）は（ａ）のＹ−Ｙ切断線における断面図である。
【図１０】本発明の実施の形態の第２例における保持長体の変形例を示す正面図である。
【図１１】本発明の実施の形態の第２例における保持長体の取付け状態を示す正面図である。
【図１２】（ａ）は本発明の実施の形態の第３例における保持長体の正面図、（ｂ）は（ａ）のＺ−Ｚ切断線における断面図である。
【図１３】（ａ）は本発明の実施の形態の第４例における保持長体の正面図、（ｂ）は（ａ）のＷ−Ｗ切断線における断面図である。
【図１４】本発明の実施の形態の第５例に係る男性用体液処理用品の正面図である。
【図１５】本発明の実施の形態の第５例に係る男性用体液処理用品の横断面図である。
【図１６】本発明の実施の形態の第５例に係る男性用体液処理用品の使用状態を示す縦断面図である。
【図１７】本発明の実施の形態の第５例における装着状態及び操作部の固定状態を示す縦断面図である。
【図１８】本発明の実施の形態に係る男性用体液処理用品の変形例を示す横断面図である。
【符号の説明】
【００６１】
１，１’  男性用体液処理用品
２  袋体
３  吸収体
４  挿入口
５  ペニス格納部
６  第１収納部
７  第２収納部
９  ガイドシートとしての液体ガイド層
１０  結束手段としての結束バンド
１３，２３，３３，４３  保持長体
１４  弾性部材としての糸状弾性体
１６，２６，３６，４６  操作部
１７  接合部
【図１】
2006255177.tif 000003
【図２】
2006255177.tif 000004
【図３】
2006255177.tif 000005
【図４】
2006255177.tif 000006
【図５】
2006255177.tif 000007
【図６】
2006255177.tif 000008
【図７】
2006255177.tif 000009
【図８】
2006255177.tif 000010
【図９】
2006255177.tif 000011
【図１０】
2006255177.tif 000012
【図１１】
2006255177.tif 000013
【図１２】
2006255177.tif 000014
【図１３】
2006255177.tif 000015
【図１４】
2006255177.tif 000016
【図１５】
2006255177.tif 000017
【図１６】
2006255177.tif 000018
【図１７】
2006255177.tif 000019
【図１８】
2006255177.tif 000020